【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
コンテンツデータを保持する情報提供装置と、前記情報提供装置にネットワークを介して接続可能で少なくとも情報の再生が可能な情報再生機器を有する情報視聴システムにおいて、
前記情報再生機器に対し、当該情報再生機器に記録されているコンテンツデータを利用するための何らかの操作要求が出されると、当該情報再生機器では、予め設定された情報を用いてパスワードを作成するとともに、前記予め設定された情報を前記情報提供装置に送信し、
前記情報提供装置では、前記情報再生機器から送られてきた情報を受け取ると、予め設定された情報を用いてパスワードを作成して、前記生成したパスワードを前記情報再生機器に送信し、
前記情報再生機器では、情報提供装置から送られてきたパスワードと自身が作成したパスワードを比較し、前記比較の結果、適正であると判断された場合は、前記ユーザから要求のあった操作を実行する、
ことを特徴とする情報視聴システム。
【請求項２】
前記パスワードを作成するための予め設定された情報は、少なくとも、現在時刻情報と当該情報再生機器が固有に持つ機器固有情報であって、前記現在時刻情報と前記機器固有情報によって作成されるパスワードは、ある限られた時間内のみで有効となるパスワードであることを特徴とする請求項１記載の情報視聴システム。
【請求項３】
前記情報再生機器におけるパスワードの作成および前記情報再生機器におけるパスワードの作成に伴う前記情報提供装置での当該情報再生機器に対するパスワードの作成は、前記情報再生機器に対して行われる操作のうち、前記情報再生機器内に記録されているコンテンツデータを再生するための再生操作要求がなされたときに行われることを特徴とする請求項１または２記載の情報視聴システム。
【請求項４】
前記情報再生機器におけるパスワードの作成および前記情報再生機器におけるパスワードの作成に伴う前記情報提供装置での当該情報再生機器に対するパスワード作成は、前記情報再生機器に対して行われる操作のうち、予め決められた複数種類の操作のどの操作要求に対しても行われることを特徴とする請求項１または２記載の情報視聴システム。
【請求項５】
前記情報再生機器が前記情報提供装置または他の情報再生機器からコンテンツデータを取得する際は、前記パスワードの作成処理を行うことなくコンテンツデータの取得を可能とすることを特徴とする請求項１から４のいずれか１項記載の情報視聴システム。
【請求項６】
前記パスワードを作成する際に必要な情報として、前記機器固有情報と現在時刻情報の他に、前記情報再生機器に対して行われた操作を示す操作情報、前記操作がどのコンテンツデータに関する操作であるかを示す情報、前記操作を行ったユーザに関するユーザ情報の少なくとも１つを用いることを特徴とする請求項２から５のいずれか１項記載の情報視聴システム。
【請求項７】
コンテンツデータを蓄積した情報提供装置に対しネットワークを介して接続され、内部に記録されたコンテンツデータに対して少なくとも再生操作が可能な情報再生機器であって、
前記情報提供装置や他の情報機器から取得したコンテンツデータを記録するコンテンツデータ記録手段と、
自身の機器が固有に持つ機器固有情報を記録する機器固有情報記録手段と、
現在時刻情報の出力が可能な時刻情報出力手段と、
前記コンテンツデータ記録手段に記録されているコンテンツデータを再生信号として出力する再生信号出力手段と、
当該情報再生機器に対してある操作要求が行われたとき、予め設定された情報を用いてパスワードを作成するパスワード作成手段と、
前記パスワード作成手段によって作成されたパスワードの正当性を判断し正当性の判断がなされると前記操作要求を有効とする制御を行う制御指令部と、
前記情報提供装置とネットワークを介して信号の授受を可能とするデータ送受信部と、
を有することを特徴とする情報視聴システムに用いられる情報再生機器。
【請求項８】
前記パスワードを作成するための予め設定された情報は、少なくとも、現在時刻情報と当該情報再生機器が固有に持つ機器固有情報であって、前記現在時刻情報と前記情報再生機器によって作成されるパスワードは、ある限られた時間内のみで有効となるパスワードであることを特徴とする請求項７記載の情報再生機器。
【請求項９】
前記パスワードの作成は、当該情報再生機器に対して行われる操作のうち、当該情報再生機器内に記録されているコンテンツデータを再生するための再生操作要求がなされたときに行われることを特徴とする請求項７または８記載の情報再生機器。
【請求項１０】
前記パスワードの作成は、前記情報再生機器に対して行われる操作のうち、予め決められた複数種類の操作のどの操作要求に対しても行われることを特徴とする請求項７または８記載の情報再生機器。
【請求項１１】
前記情報提供装置または他の情報再生機器からコンテンツデータを取得する際は、前記パスワードの作成処理を行うことなくコンテンツデータの取得を可能とすることを特徴とする請求項７から１０のいずれか１項記載の情報再生機器。
【請求項１２】
前記パスワードを作成する際に必要な情報として、前記機器固有情報と現在時刻情報の他に、当該情報再生機器に対して行われた操作を示す操作情報、前記操作がどのコンテンツデータに関する操作であるかを示す情報、前記操作を行ったユーザに関するユーザ情報の少なくとも１つを用いることを特徴とする請求項８から１１のいずれか１項記載の情報視聴システムに用いられる情報再生機器。
【請求項１３】
所定の手続きによって登録された情報再生機器に対してコンテンツデータの提供が可能な情報提供装置であって、
前記情報再生機器とネットワークを介して信号の授受を可能とするデータ送受信部と、
前記登録された情報再生機器に提供可能なコンテンツデータを保持するコンテンツデータ記録部と、
前記登録された各情報再生機器のそれぞれの機器固有情報を記録する機器固有情報記録部と、
前記登録された情報再生機器を使用するユーザに関する情報をユーザ情報として記録するユーザ情報記録部と、
前記登録された情報再生機器の有する機能など個々の情報再生機器に関する情報を機器情報として記録する機器情報記録部と、
現在時刻情報の出力が可能な時刻情報出力手段と、
前記情報再生機器が何らかの操作を行う際に、予め設定された情報を用いてパスワードを作成するパスワード作成手段と、
を有することを特徴とする情報提供装置。
【請求項１４】
前記パスワードを作成するための予め設定された情報は、少なくとも、現在時刻情報と前記情報再生機器が固有に持つ機器固有情報であって、前記現在時刻情報と前記機器固有情報によって作成されるパスワードは、ある限られた時間内のみで有効となるパスワードであることを特徴とする請求項１３記載の情報提供装置。
【手続補正２】
【補正対象書類名】明細書
【補正対象項目名】００１７
【補正方法】変更
【補正の内容】
【００１７】
【課題を解決するための手段】
上述した目的を達成するために本発明の情報視聴システムは、コンテンツデータを保持する情報提供装置と、前記情報提供装置にネットワークを介して接続可能で少なくとも情報の再生が可能な情報再生機器を有する情報視聴システムにおいて、前記情報再生機器に対し、当該情報再生機器に記録されているコンテンツデータを利用するための何らかの操作要求が出されると、当該情報再生機器では、予め設定された情報を用いてパスワードを作成するとともに、前記予め設定された情報を前記情報提供装置に送信し、前記情報提供装置では、前記情報再生機器から送られてきた情報を受け取ると、予め設定された情報を用いてパスワードを作成して、前記生成したパスワードを前記情報再生機器に送信し、前記情報再生機器では、情報提供装置から送られてきたパスワードと自身が作成したパスワードを比較し、前記比較の結果、適正であると判断された場合は、前記ユーザから要求のあった操作を実行するようにしている。
【手続補正３】
【補正対象書類名】明細書
【補正対象項目名】００１８
【補正方法】変更
【補正の内容】
【００１８】
このような情報視聴システムにおいて、前記パスワードを作成するための予め設定された情報は、少なくとも、現在時刻情報と当該情報再生機器が固有に持つ機器固有情報であって、前記現在時刻情報と前記機器固有情報によって作成されるパスワードは、ある限られた時間内のみで有効となるパスワードとしている。
【手続補正４】
【補正対象書類名】明細書
【補正対象項目名】００１９
【補正方法】変更
【補正の内容】
【００１９】
また、この情報視聴システムにおいて、前記情報再生機器におけるパスワードの作成および前記情報再生機器におけるパスワードの作成に伴う前記情報提供装置での当該情報再生機器に対するパスワードの作成は、前記情報再生機器に対して行われる操作のうち、前記情報再生機器内に記録されているコンテンツデータを再生するための再生操作要求がなされたときに行われるようにしている。
【手続補正５】
【補正対象書類名】明細書
【補正対象項目名】００２０
【補正方法】変更
【補正の内容】
【００２０】
また、この情報視聴システムにおいて、前記情報再生機器におけるパスワードの作成および前記情報再生機器におけるパスワードの作成に伴う前記情報提供装置での当該情報再生機器に対するパスワード作成は、前記情報再生機器に対して行われる操作のうち、予め決められた複数種類の操作のどの操作要求に対しても行われることが好ましい。
【手続補正６】
【補正対象書類名】明細書
【補正対象項目名】００２２
【補正方法】変更
【補正の内容】
【００２２】
また、この情報視聴システムにおいて、前記パスワードを作成する際に必要な情報として、前記機器固有情報と現在時刻情報の他に、前記情報再生機器に対して行われた操作を示す操作情報、前記操作がどのコンテンツデータに関する操作であるかを示す情報、前記操作を行ったユーザに関するユーザ情報の少なくとも１つを用いることが好ましい。
【手続補正７】
【補正対象書類名】明細書
【補正対象項目名】００２８
【補正方法】変更
【補正の内容】
【００２８】
また、前記情報再生機器におけるパスワードの作成およびそれに伴う前記情報提供装置側での当該情報再生機器に対するパスワード作成は、予め決められた複数種類の操作のどの操作要求に対しても行われるようにしている。
【手続補正８】
【補正対象書類名】明細書
【補正対象項目名】００３５
【補正方法】変更
【補正の内容】
【００３５】
また、本発明の情報再生機器は、コンテンツデータを蓄積した情報提供装置に対しネットワークを介して接続され、内部に記録されたコンテンツデータに対して少なくとも再生操作が可能な情報再生機器であって、前記情報提供装置や他の情報機器から取得したコンテンツデータを記録するコンテンツデータ記録手段と、自身の機器が固有に持つ機器固有情報を記録する機器固有情報記録手段と、現在時刻情報の出力が可能な時刻情報出力手段と、前記コンテンツデータ記録手段に記録されているコンテンツデータを再生信号として出力する再生信号出力手段と、当該情報再生機器に対してある操作要求が行われたとき、予め設定された情報を用いてパスワードを作成するパスワード作成手段と、前記パスワード作成手段によって作成されたパスワードの正当性を判断し正当性の判断がなされると前記操作要求を有効とする制御を行う制御指令部と、前記情報提供装置とネットワークを介して信号の授受を可能とするデータ送受信部と、を有している、
【手続補正９】
【補正対象書類名】明細書
【補正対象項目名】００３６
【補正方法】変更
【補正の内容】
【００３６】
このような情報再生機器において、前記パスワードを作成するための予め設定された情報は、少なくとも、現在時刻情報と当該情報再生機器が固有に持つ機器固有情報であって、前記現在時刻情報と前記情報再生機器によって作成されるパスワードは、ある限られた時間内のみで有効となるパスワードとしている。
【手続補正１０】
【補正対象書類名】明細書
【補正対象項目名】００３７
【補正方法】変更
【補正の内容】
【００３７】
また、この情報再生機器において、前記パスワードの作成は、当該情報再生機器に対して行われる操作のうち、当該情報再生機器内に記録されているコンテンツデータを再生するための再生操作要求がなされたときに行われるようにしている。
【手続補正１１】
【補正対象書類名】明細書
【補正対象項目名】００３８
【補正方法】変更
【補正の内容】
【００３８】
また、この情報再生機器において、前記パスワードの作成は、前記情報再生機器に対して行われる操作のうち、予め決められた複数種類の操作のどの操作要求に対しても行われることが好ましい。
【手続補正１２】
【補正対象書類名】明細書
【補正対象項目名】００４０
【補正方法】変更
【補正の内容】
【００４０】
また、この情報再生機器において、前記パスワードを作成する際に必要な情報として、前記機器固有情報と現在時刻情報の他に、当該情報再生機器に対して行われた操作を示す操作情報、前記操作がどのコンテンツデータに関する操作であるかを示す情報、前記操作を行ったユーザに関するユーザ情報の少なくとも１つを用いることが好ましい。
【手続補正１３】
【補正対象書類名】明細書
【補正対象項目名】００４５
【補正方法】変更
【補正の内容】
【００４５】
また、本発明の情報提供装置は、所定の手続きによって登録された情報再生機器に対してコンテンツデータの提供が可能な情報提供装置であって、前記情報再生機器とネットワークを介して信号の授受を可能とするデータ送受信部と、前記登録された情報再生機器に提供可能なコンテンツデータを保持するコンテンツデータ記録部と、前記登録された各情報再生機器のそれぞれの機器固有情報を記録する機器固有情報記録部と、前記登録された情報再生機器を使用するユーザに関する情報をユーザ情報として記録するユーザ情報記録部と、前記登録された情報再生機器の有する機能など個々の情報再生機器に関する情報を機器情報として記録する機器情報記録部と、現在時刻情報の出力が可能な時刻情報出力手段と、前記情報再生機器が何らかの操作を行う際に、予め設定された情報を用いてパスワードを作成するパスワード作成手段と、を有している。
【手続補正１４】
【補正対象書類名】明細書
【補正対象項目名】００４６
【補正方法】変更
【補正の内容】
【００４６】
このような情報提供装置において、前記パスワードを作成するための予め設定された情報は、少なくとも、現在時刻情報と前記情報再生機器が固有に持つ機器固有情報であって、前記現在時刻情報と前記機器固有情報によって作成されるパスワードは、ある限られた時間内のみで有効となるパスワードとしている。
【手続補正１５】
【補正対象書類名】明細書
【補正対象項目名】００５６
【補正方法】変更
【補正の内容】
【００５６】
この図１で示したユーザ機器２および図２で示したサービスセンタ１を構成する各構成要素のうち、ユーザ機器２側のパスワード作成部２０３とサービスセンタ１側のパスワード作成部１０３、ユーザ機器２側の機器ＩＤ記録部２０２、サービスセンタ１側の機器ＩＤ記録部１０２、サービスセンタ１側に存在するユーザ情報記録部１０６、ユーザ機器２側のデータ処理部２０８やサービスセンタ１側のデータ処理部１０８などは、耐タンパ（tamper）性のあるハードウエア構成あるいはソフトウエア構成とし、データの改ざんや処理手順の改ざんなどができないようにしておく。
【手続補正１６】
【補正対象書類名】明細書
【補正対象項目名】００７７
【補正方法】変更
【補正の内容】
【００７７】
ただし、ユーザ機器２からサービスセンタ１への通信に必要な時間などを考慮して、ユーザ側のユーザ機器２から送られてくる現在時刻情報（ユーザ機器２の計時部２０１で計測された現在時刻）に対し、多少の時間的な幅（数秒から十数秒程度）を持たせてある。
【手続補正１７】
【補正対象書類名】明細書
【補正対象項目名】００７８
【補正方法】変更
【補正の内容】
【００７８】
このようにして、サービスセンタ１側でもワンタイムパスワードが作成されると、そのワンタイムパスワードとそのときのユーザの操作要求に対する操作許可指令をユーザ機器２に対して送信する（ステップＳ３５）。
【手続補正１８】
【補正対象書類名】明細書
【補正対象項目名】００９２
【補正方法】変更
【補正の内容】
【００９２】
一方、サービスセンタ１では、第１のユーザ機器２ａから送信されてきた機器ＩＤ情報、コンテンツデータ情報、ユーザの行った操作情報、現在の時刻情報と、自身に備えられた計時部から得られる現在時刻情報とに基づき、機器ＩＤ記録部１０２、ユーザ情報記録部１０６などを参照して、パスワード作成部１０３がワンタイムパスワードを作成し、そのワンタイムパスワードとそのときのユーザの操作要求に対する操作許可指令が第１のユーザ機器２ａに対して送信される。
【手続補正１９】
【補正対象書類名】明細書
【補正対象項目名】００９６
【補正方法】変更
【補正の内容】
【００９６】
このとき、この第２のユーザ機器２ｂがサービスセンタ１に対し、第１のユーザ機器２ａと同様の事前手続き（図３参照）がなされていれば、そのコンテンツデータ記録部にコピーされたコンテンツデータの再生は、前述した第１のユーザ機器２ａと同様に行うことができる。
【手続補正２０】
【補正対象書類名】明細書
【補正対象項目名】００９８
【補正方法】変更
【補正の内容】
【００９８】
すなわち、第２のユーザ機器２ｂにおいて、たとえ、前述したように、第２のユーザ機器２ｂの機器ＩＤ情報とユーザＩＤ情報、再生しようとするコンテンツデータ情報、ユーザの行った操作情報（この場合の操作は「再生」）を自身のデータ送受信部からサービスセンタ１に送信すると同時に、これら機器ＩＤ情報、ユーザＩＤ情報、コンテンツデータ情報、ユーザの行った操作情報の他に計時部から得られる現在時刻情報に基づいてワンタイムパスワードを作成したとしても、サービスセンタ１では、当該第２のユーザ機器２ｂあるいはその機器を使用するユーザＩＤなどの登録がなされていなければ、第２のユーザ機器２ｂ側で作成されたワンタイムパスワードと同じパスワードの作成はなされない。
【手続補正２１】
【補正対象書類名】明細書
【補正対象項目名】００９９
【補正方法】変更
【補正の内容】
【００９９】
このため、第２のユーザ機器２ｂでは、自身が作成したワンタイムパスワードとサービスセンタ１から送られてきたワンタイムパスワードとの一致が取れず、ユーザの行おうとしている再生操作は拒絶され、第１のユーザ機器２ａからコピーされたコンテンツデータの再生は行われない。
【手続補正２２】
【補正対象書類名】明細書
【補正対象項目名】０１０３
【補正方法】変更
【補正の内容】
【０１０３】
また、本発明では、再生だけでなく、あるコンテンツデータをユーザが自身のユーザ機器２で利用しようとして様々な操作を行うごとに、当該ユーザ機器２の機器ＩＤ、どのような操作を行うかを示す操作情報、そのときのコンテンツデータ情報、現在時刻情報などがサービスセンタ１に送られるとともに、その操作に伴う当該ユーザ機器２上では現在時刻、機器ＩＤ、操作情報などに基づくワンタイムパスワードが作成されるとともに、サービスセンタ１側でもユーザ機器２から送られてくるこれらの情報と自身の計時部１０１から得られる現在時刻情報に基づくワンタイムパスワードが作成され、当該ユーザ機器２上でこれらのパスワードの一致を判断して、一致したときのみ、ユーザの実行しようとする操作を可能としている。
【手続補正２３】
【補正対象書類名】明細書
【補正対象項目名】０１０６
【補正方法】変更
【補正の内容】
【０１０６】
このような情報をサービスセンタ1におくることにより、ユーザの行った操作やユーザの好みをサービスセンタ１側で把握することができる。たとえば、ユーザの操作状況を把握することにより、サービスセンタ１側からすると、ユーザが行った操作ごとに課金することもできるので、適正、かつ、きめ細かい課金の設定を行うことができる。たとえば、再生を行った場合の料金はいくらとするか、その場合、コンテンツデータの内容に応じた料金設定も可能となり、また、繰り返しの再生についてはどうするか、他の機器にコンテンツデータを送信した場合の料金はどうするかなど様々な形態に対応した課金の設定が可能となる。
【手続補正２４】
【補正対象書類名】明細書
【補正対象項目名】０１１８
【補正方法】変更
【補正の内容】
【０１１８】
これは、前述したように、ユーザ機器２側のパスワード作成部２０３とサービスセンタ１側のパスワード作成部１０３、ユーザ機器２側の機器ＩＤ記録部２０２、サービスセンタ１側の機器ＩＤ記録部１０２、サービスセンタ１側に存在するユーザ情報記録部１０６、ユーザ機器２側のデータ処理部２０８やサービスセンタ１側のデータ処理部１０８などを、耐タンパ（tamper）性のあるハードウエア構成あるいはソフトウエア構成とすることで、ある程度は防ぐことはできるが、このような不正使用をより強固に防止するために、次のような手段を採用することが望ましい。
【手続補正２５】
【補正対象書類名】明細書
【補正対象項目名】０１３０
【補正方法】変更
【補正の内容】
【０１３０】
これによって、ユーザ機器２はコンテンツデータ記録部２０７に記録されたコンテンツデータのうち、ユーザの選択したコンテンツデータがデータ処理部２０８によって読み出されて、再生が可能となるような復号処理がなされ、その復号された信号が再生信号出力部２０９から出力される。
【手続補正２６】
【補正対象書類名】明細書
【補正対象項目名】０１３２
【補正方法】変更
【補正の内容】
【０１３２】
なお、このような端末４によりユーザ機器２の操作を行う他の例としては、端末４はサービスセンタ１との信号授受は行わず、ユーザ機器２との間で信号授受を行ってユーザ機器２を操作させる形態もある。
【手続補正２７】
【補正対象書類名】明細書
【補正対象項目名】０１３９
【補正方法】変更
【補正の内容】
【０１３９】
また、本発明では、コンテンツデータを再生するような場合、ユーザの行った操作情報やユーザがどのコンテンツデータを選択したかなどのコンテンツデータに関する情報をサービスセンタ側に送るようにしているので、ユーザの行った操作やユーザの好みをサービスセンタ側で把握することができる。たとえば、ユーザの行った操作を把握することにより、サービスセンタ側からすると、ユーザが行った操作ごとに課金することもできるので、適正、かつ、きめ細かい課金の設定を行うことができる。たとえば、再生を行った場合の料金はいくらとするか、その場合、コンテンツデータの内容に応じた料金設定も可能となり、また、繰り替えしの再生についてはどうするか、他の機器にコンテンツデータを送信した場合の料金はどうするかなど様々な形態に対応した課金の設定が可能となる。また、コンテンツデータに関する情報を把握することによって、そのユーザがどのようなコンテンツデータを好んでいるかなど嗜好の傾向がわかるので、個々のユーザに対して宣伝などを行う際のデータとして用いることもできる。